(57)【要約】【課題】電動機の製造コスト及び組立の複雑性を低減する。【解決手段】Ｐが１より大きい整数である２Ｐ個の磁極を有する永久磁石ＤＣ電動機は、複数の磁極を有する固定子（１００）と、固定子に対して回転するように構成される回転子（１０４）とを備える。回転子は、出力軸と、該出力軸に取り付けられる整流子と、複数の回転子溝（１０８）を形成する複数の回転子歯（１０６）を有する回転子コアとを備え、回転子溝が複数の回転子巻線を収容することができる。幾つかの実施形態において、整流子は、ｍが２より大きい偶数であり、隣接する整流子片からなるｍ個のペアを形成するように配列されたｍ個の複数の整流子片（Ｚ）を備える。回転子巻線は、複数のコイル要素（Ｗ）を備え、コイル要素は、一対の整流子片に接続される２つの端部を備え、隣接する整流子片の第１のペアは、直列に接続されたＰ−１個のコイル要素を介して接続される。【選択図】図１Ａ
2014121270.tif 000002
【特許請求の範囲】
【請求項１】
Ｐが１より大きい整数である２Ｐ個の磁極を形成する複数の磁気構成要素を含む固定子と、
出力軸を含む回転子と、
を備える電動機であって、
前記回転子は更に、
前記出力軸に取り付けられ、隣接する整流子片であり２より大きい偶数のｍ個のペアを形成するように配列されたｍ個の整流子片を含む整流子と、
前記ｍ個の整流子片の２つに接続される２つの端部を有する複数のコイル要素を含む回転子巻線と、
を備え、
隣接する整流子片の第１のペアは、直列に接続されたＰ−１個のコイル要素を介して接続され、
隣接する整流子片の第２のペアは、直列に接続されたＰ＋１個のコイル要素を介して接続される、
ことを特徴とする電動機。
【請求項２】
前記回転子巻線が、波巻構成の複数のコイル要素を備える、請求項１に記載の電動機。
【請求項３】
前記固定子が、前記整流子のｍ個の整流子片と摺動接触する、２個を超えない電気ブラシを備える、請求項２に記載の電動機。
【請求項４】
Ｐ＝２である、請求項１に記載の電動機。
【請求項５】
前記回転子は、ｍ個の回転子歯を有する回転子コアを更に備え、前記複数の回転子歯の隣接する回転子歯は、前記複数のコイル要素の一部を収容するように構成されるｍ個の巻線溝を規定する、請求項１に記載の電動機。
【請求項６】
前記ｍ個の整流子片からなる整流子片は、前記複数の回転子歯のうちの対応する回転子歯から円周方向に、０度から１２度であるように構成される所定の角度だけオフセットしている、請求項５に記載の電動機。
【請求項７】
前記複数のコイル要素からなるコイル要素は、２つの整流子片に接続され、該２つの整流子片は、隣接しているか、或いは、前記電動機の２個の磁極に対応する整流子片の数に実質的に等しい所定の距離だけ離間している、請求項１に記載の電動機。
【請求項８】
ｍは、両端値を含む１６から２４までの偶数である、請求項１に記載の電動機。
【請求項９】
４個の磁極を形成する複数の磁気構成要素と一対の電気ブラシとを含む固定子と、
前記固定子に対して回転するように構成され、出力軸を含む回転子と、
を備える電動機であって、
前記回転子は更に、
ｍ個の整流子片を含み、前記出力軸に取り付けられる整流子と、
前記出力軸に取り付けられる回転子コアと、
前記回転子コアに巻かれる回転子巻線と、
を備え、
前記整流子の前記ｍ個の整流子片は、前記一対の電気ブラシと接触するように構成される、
ことを特徴とする電動機。
【請求項１０】
前記回転子巻線は、ｍ個のコイル要素を備え、該ｍ個のコイル要素のうちの１つのコイル要素は、隣接する一対の整流子片に接続される２つの端部を備え、前記ｍ個のコイル要素の残りのコイル要素は、実質的に前記整流子の直径方向の反対側に位置する整流子片のペアに接続される、請求項９に記載の電動機。
【発明の詳細な説明】
【技術分野】
【０００１】
本発明は、電動機のための改良された波巻に関する。
【背景技術】
【０００２】
従来の４極永久磁石電動機は、典型的に、４個のブラシを使用する。例えば、図１Ａは、複数の整流子片を含む整流子と接触させるための４個のブラシ１０２を備える４極永久磁石電動機の固定子１００を示す。図１Ｂは、４極永久磁石電動機の回転子１０４を示し、該回転子１０４は、２０個の回転子溝１０８を有する２０個の回転子歯１０６を備える。
【０００３】
更に図１Ｃを参照すると、ブラシ１０２は、回転子１０４の複数の整流子片１１０と接するように構成される。複数の巻線１１２は、整流子片１１０に接続され、回転子歯１０６の周りに巻かれ、回転子溝１０８内に収容される。動作中、電流は、整流子片１１０を介してブラシ１０２から巻線１１２に流れ、これによって、固定子１００に取り付けられる複数の磁石構成要素（例えば、永久磁石）と相互作用する磁場を生成し、回転子１０４を駆動して固定子１００に対して回転させる。図１Ｃは、重ね巻構成で配列される巻線１１２の例示的な配置の概略図を示す。理解を容易にするために、図１Ｃは、整流子片１１０及び回転子歯１０６を直線的に示す。
【発明の概要】
【発明が解決しようとする課題】
【０００４】
特定の用途では、電動機のブラシの数を低減し、これによって製造コストを抑え、組立の複雑性を低減することが望ましい。例えば、図２Ａは、４個の磁極を有するが、４個ではなく２個のみの電気ブラシ（２１及び２３）を備える２つの永久磁石電動機２００を示す。
【０００５】
ブラシの数を低減する１つの方法は、電動機の整流子片を選択的に接続させる等化器を使用することである。しかしながら、等化器は、製造コスト及び組立の複雑性を高めることにもなる。例えば、図２Ｂは、等化器１１４を使用した巻線１１２の例示的な配置の概略図を示す。
【０００６】
電動機内のブラシの数を低減する別の方法は、重ね巻ではなく波巻を利用することである。しかしながら、典型的な波巻構成は、整流子片が奇数である整流子を必要とし、従来の電動機とは異なる整流子及び回転子の設計を必要とし、潜在的に、製造及び組立コストを高めるものである。
【０００７】
従って、数を削減したブラシ、及び偶数の整流子片を有する整流子を利用することにより、電動機の製造コスト及び組立の複雑性を低減することが好都合であろう。
【課題を解決するための手段】
【０００８】
幾つかの実施形態は、一層少ない電気ブラシ、及び偶数の整流子片を有する整流子を備えることによって、製造コスト及び組立の複雑性を低減する永久磁石ＤＣ電動機に向けられる。電動機は、Ｐが１より大きい整数である２Ｐ個の磁極を形成する複数の磁気構成要素を有する固定子、及び該固定子に対して回転するように構成される回転子を備える。幾つかの実施形態では、Ｐ＝２である。
【０００９】
電動機は、出力軸と、該出力軸に取り付けられ、複数の整流子片を含む整流子と、複数のコイル要素を含む回転子巻線とを備えることができ、コイル要素の２つの端部は、２つの整流子片に取り付けられる。幾つかの実施形態において、整流子片の数は、ｍであるように構成され、ｍが２より大きい偶数であるｍ個のペアの整流子片を形成するように配列される。更に、回転子は複数の回転子歯を有する回転子コアを備えることができ、回転子歯は、複数のコイル要素の一部を収容するように構成される複数の巻線溝を規定する。幾つかの実施形態において、回転子コアは、ｍ個の巻線溝を規定するｍ個の回転子歯を備える。幾つかの実施形態において、ｍは、両端値を含む１６から２４までの偶数であるように構成される。
【００１０】
幾つかの実施形態において、回転子巻線は、波巻構成である。回転子巻線は、隣接する整流子片の第１のペアが、直列に接続されたＰ−１個のコイル要素を介して接続され、隣接する整流子片の第２のペアが、直列に接続されたＰ＋１個のコイル要素を介して接続されるように構成することができる。幾つかの実施形態において、隣接する整流子片の残りのペアは、直列に接続されたＰ個のコイル要素を介して接続される。
【００１１】
幾つかの実施形態において、回転子は、整流子の整流子片と摺動接触する、２個を超えない電気ブラシを備える。
【００１２】
幾つかの実施形態において、整流子片は、複数の回転子歯のうちの対応する回転子歯から円周方向に所定の角度だけオフセットしている。所定の角度は、０度から１２度となるように構成することができる。別の実施形態において、所定の角度は、０度から９度となるように構成される。
【００１３】
幾つかの実施形態において、隣接しているか、或いは、電動機の２個の磁極に対応する整流子片の数に実質的に等しい所定の距離だけ離間している、２つの整流子片に、コイル要素が接続される。Ｐ＝２の構成の幾つかの実施形態において、複数のコイル要素のうちの１つのコイル要素は、隣接する一対の整流子片に接続され、複数のコイル要素のうちの残りのコイル要素は、実質的に整流子の直径方向の反対側に位置する整流子片に接続することができる。
【００１４】
幾つかの実施形態において、電動機は、自動車エンジンの冷却モジュールで使用されるファンを駆動するように構成される。
【００１５】
図面は、実施形態の設計及び有用性を示すものであり、共通の符号を用いて同様の要素を示す。これらの図面は、必ずしも縮尺どおりに作図されたものではない。前述の及び他の利点及び目的を得るための方法をよく理解できるよう、添付の図面に示される実施形態を以下に詳細に説明する。これらの図面は、例示的な実施形態を示すのみであり、特許請求の範囲を限定するとみなされるものではない。
【図面の簡単な説明】
【００１６】
【図１Ａ】４個の磁極及び２０個の回転子歯１０６を有する永久磁石電動機の固定子及び回転子を示す。
【図１Ｂ】４個の磁極及び２０個の回転子歯１０６を有する永久磁石電動機の固定子及び回転子を示す。
【図１Ｃ】永久磁石電動機の重ね巻を示す概略図である。
【図２Ａ】幾つかの実施形態による、２個のブラシを有する４極永久磁石電動機を示す。
【図２Ｂ】等化器を利用した永久磁石電動機の重ね巻を示す概略図である。
【図３】幾つかの実施形態による永久磁石電動機の波巻を示す概略図である。
【図４】図３の実施形態によるコイル要素と巻線溝と整流子片との間の接続を示す概略図である。
【図５】幾つかの実施形態による、波巻を使用した４極２０溝の永久磁石電動機に関するＥＭＩテストの結果を示す。
【図６】従来の４極２０溝の永久磁石電動機に関するＥＭＩテストの結果を示す。
【図７】幾つかの実施形態による電動機を含む自動車エンジン冷却システムに関するシステムを示す。
【発明を実施するための形態】
【００１７】
以下に図面を参照して様々な特徴を説明する。図面は、縮尺どおりに作図されたものではなく、図面全体にわたって、類似の構造又は特徴の要素を同様の符号で示すことに留意されたい。さらに、図面は、１つ又はそれ以上の具体的な実施形態において特に述べられるか、或いは１つ又はそれ以上の請求項に特に記載されない限り、例示及び説明の目的で機能の説明を容易にすることだけが意図されていることに留意されたい。本明細書で説明する図面及び様々な実施形態は、他の様々な実施形態の網羅的な例示又は説明として意図されておらず、或いは、特許請求の範囲又は本出願において説明する実施形態を考慮することにより当業者には明らかになる他の幾つかの実施形態の範囲に対して限定することが意図されていない。さらに、例示の実施形態の全てが、示される態様又は利点を有する必要はない。
【００１８】
具体的な実施形態と併せて説明する態様又は利点は、必ずしも、その実施形態に限定されるものではなく、たとえ、そのように示していなくとも、或いは明示的に説明していなくとも、他の何れかの実施形態において実施することができる。また、本明細書全体にわたって、「幾つかの実施形態」、又は「他の実施形態」という用語を用いることは、実施形態に関連して説明する特定の機能、構造、材料、工程、又は特徴が、少なくとも１つの実施形態に含まれることを意味する。従って、本明細書全体にわたって様々な箇所で、「幾つかの実施形態において」、「１つ又はそれ以上の実施形態において」、又は「他の実施形態において」という表現は、必ずしも同じ実施形態に言及しているとは限らない。
【００１９】
幾つかの実施形態は、固定子及び該固定子と相互作用するように構成される回転子を備える永久磁石ＤＣ電動機に関する。例示の実施形態は、主として永久磁石ＤＣ電動機に言及するが、他の実施形態による他の種類の電動機を使用することができることを理解されたい。
【００２０】
幾つかの実施形態において、固定子は、Ｐが１より大きい整数である２Ｐ個の磁極を形成する複数の永久磁石を備える。例えば、Ｐ＝２の場合、電動機は４極電動機であり、Ｐ＝４の場合、電動機は８極電動機である。例示の実施形態は、主として４極電動機（Ｐ＝２）に言及するが、他の実施形態は、異なる磁極の数（例えば、Ｐ＝８）を有することができることを理解されたい。
【００２１】
回転子は、出力軸、整流子、複数の回転子歯を有する１つ又はそれ以上の回転子コア、及び該回転子歯の周りに巻かれる回転子巻線を備えることができる。整流子は、ｍが２より大きい偶数であるｍ個の整流子片を備えることができる。幾つかの実施形態において、ｍは、Ｐより大きくなるように構成される。好ましい実施形態において、ｍは、１６から２４までの偶数（すなわち、１６、１８、２０、２２、又は２４）である。回転子巻線は、各々が２つの端部を有する複数のコイル要素を備え、各コイル要素の２つの端部は、一対の整流子片に接続される。好ましい実施形態によれば、回転子コアの回転子歯の数は、整流子片の数（すなわち、ｍ）に等しい。
【００２２】
幾つかの実施形態において、電動機は、４極２０溝の永久磁石ＤＣ電動機である（Ｐ＝２、ｍ＝２０）。言い換えると、電動機の固定子に取り付けられる永久磁石は、４個の磁極を形成し、回転子コアは、２０個の回転子歯を備え、隣接する回転子歯の各ペアは、コイル要素を収容するために使用される巻線溝を規定し、全部で２０個の巻線溝を形成する。
【００２３】
図３は、幾つかの実施形態による、２０個の整流子片を有する４極２０溝の電動機に関する巻線配置を示す概略図である。例示目的で、図３は、実際の電動機のような実質的に円形又は環状の構造ではなく、直線的な配列で広がる整流子片及び回転子歯を示す。
【００２４】
図３の最初の列は、２つの電気ブラシ２１及び２３を示す。例示の実施形態において、電動機は、改良された波巻を利用し、これによって、従来の４極電動機において使用されていた４個のブラシの代わりに、２個のみの電気ブラシ２１及び２３を使用する。従来の４極電動機に比べて、電気ブラシ並びに対応するブラシハウジング及びばねの数を低減することは、組立てコスト及び複雑性を低減し、電動機の重量を低減することにつながる。
【００２５】
図３の２番目の列は、整流子の２０個の整流子片（Ｚ１からＺ２０）を示す。例示目的で、図では、Ｚ２０の後にＺ１からＺ１０が繰り返される。図３の３番目の列は、回転子コアの２０個の回転子歯を示す。隣接する回転子歯の各ペアは巻線溝を規定し、２０個の回転子歯が共同でＳ１からＳ２０の２０個の巻線溝を規定するようになっている。整流子片と同様に、例示目的で、図では、Ｓ２０の後にＳ１からＳ８の巻線溝が繰り返される。複数のコイル要素（Ｗ１からＷ２０）は、回転子歯の周りに巻かれ、巻線溝（Ｓ）に収容され、整流子片（Ｚ）の対応するペアに接続される。
【００２６】
図４は、図３の実施形態によるコイル要素（Ｗ）と巻線溝（Ｓ）と整流子片（Ｚ）との間の関係を示す。
【００２７】
図３及び図４に示すように、コイル要素Ｗ１は、１つの端部が整流子片Ｚ１を起点とし、巻線溝Ｓ８に挿入され、巻線溝Ｓ８とＳ４との間で回転子歯の周りに１回又は数回巻かれる。コイル要素Ｗ１は、巻線溝Ｓ４から抜け出し、他の端部が整流子片Ｚ１１に取り付けられる。次のコイル要素Ｗ１１は、整流子片Ｚ１１を起点とし、巻線溝Ｓ１８に挿入され、Ｓ１８とＳ１４との間で回転子歯の周りに巻かれ、巻線溝Ｓ１４から抜け出して整流子片Ｚ２に接続される。
【００２８】
同様にして、コイル要素Ｗ２は、１つの端部が整流子片Ｚ２に接続され、他の端部がＺ１２に接続され、コイル要素Ｗ１２は、Ｚ１２及びＺ３に接続される。整流子片（Ｚ）とコイル要素（Ｗ）と巻線溝（Ｓ）との間の関係を、以下の表１に示す。各コイル要素は、１つの端部が第１の整流子片に接続され、第１の巻線溝（入口溝）に挿入され、第２の巻線溝（出口溝）から抜け出し、反対側の端部が第２の整流子片に接続される。
【００２９】
【表１】
2014121270.tif 000003
【００３０】
表１に示すように、隣接する整流子片の各ペア（例えば、Ｚ１及びＺ２、Ｚ２及びＺ３）は、一般にＰ個（例えば、例示の実施形態では、Ｐ＝２）の直列に接続されたコイル要素の端部に接続される。例えば、隣接する整流子片Ｚ１及びＺ２は、２つのコイル要素Ｗ１及びＷ１１を介して接続され、隣接する整流子片Ｚ２及びＺ３は、コイル要素Ｗ２及びＷ１２を介して接続される。一般的なルールに対する例外として、整流子片Ｚ２０及びＺ１は、１（Ｐ―１）個のコイル要素（Ｗ２０）のみを介して接続される。別の例外として、整流子片Ｚ１０及びＺ１１は、直列に接続された３（Ｐ＋１）個のコイル要素（Ｗ１０、Ｗ２０、及びＷ１）の端部を介して接続される。
【００３１】
要約すれば、電動機が、２Ｐ（Ｐは１より大きい偶数）個の磁極、及びｍ（ｍはＰより大きい偶数）個の整流子片を有する構成において、幾つかの実施形態による波巻は、以下の特徴を示す。
【００３２】
（１）隣接する整流子片のｍ個のペアを形成するｍ個の整流子片に関して、隣接する整流子片の１つのペア（例えば、Ｚ２０及びＺ１）は、直列に接続されたＰ−１個のコイル要素の２つの端部を介して接続され、隣接する整流子片のもう１つのペア（例えば、Ｚ１０及びＺ１１）は、直列に接続されたＰ＋１個のコイル要素の２つの端部を介して接続される。隣接する整流子片の残りのｍ−２個のペアに関しては、隣接する整流子片の各ペアが、直列に接続されたＰ個のコイル要素の２つの端部を介して接続される。
【００３３】
（２）各コイル要素の２つの端部は、２つの整流子片に接続され、２つの整流子片は、隣接している（例えば、整流子片Ｚ２０及びＺ１）か、又は所定の距離だけ離間しているかのどちらかである。所定の距離は、実質的に、電動機の２個の磁極に対応する整流子片の数に等しいものとすることができる。例えば、４極及び２０個の整流子片を有する電動機に関しては、各磁極が、５個の整流子片に対応する。整流子片Ｚ１及びＺ１１は（コイル要素Ｗ１を介して接続され）、実質的に整流子の直径方向の反対側に位置し、２個の磁極に対応する整流子片の数に実質的に等しい１０個の整流子片で隔てられる。さらに、整流子片Ｚ１１及びＺ２は（コイル要素Ｗ１１介して接続され）、実質的に整流子の直径方向の反対側に位置し、２個の磁極に対応する整流子片の数に実質的に等しい１１個の整流子片で隔てられる。
【００３４】
本明細書において「実質的に」という用語、例えば、「実質的に整流子の直径方向の反対側に」という用語を用いる場合には、特定の特徴が、正確な特徴に言及するか、或いはある程度の変位が生じる又はさもなければ完全ではない特徴に言及することができることを示すことを理解されたい。例えば、Ｚ１及びＺ１１は、１０個の整流子片で隔てられ２０個の整流子片を有する実施形態において、正確に直径方向の反対側にあるので、「実質的に整流子の直径方向の反対側に位置する」とみなすことができる。しかしながら、整流子片のペアは、正確に直径方向の反対側の位置から、ある程度の変位が生じているにも関わらず、「実質的に整流子の直径方向の反対側に位置する」とみなすことができる（例えば、１１又は１２個の整流子片の離間）。
【００３５】
同様に、「２個の磁極に対応する整流子片の数に実質的に等しい」ということは、整流子片の数が、２個の磁極に対応する整流子片の数に正確に等しいこと（例えば、４極２０溝の電動機における１０個の整流子片）、或いは、２個の磁極に対応する数から１個又は２個の整流子片だけ変位が生じていること（例えば、８、９、１１、又は１２個の整流子片）を示すことができる。
【００３６】
例示の実施形態では、４個の磁極を有する電動機を説明するが、他の実施形態は、４個より多い磁極を有する電動機に適用できることを理解されたい。例えば、Ｐは、２、３、４、又は、１より大きい他の任意の整数に等しいとすることができる。
【００３７】
好ましい実施形態によれば、回転子歯の数は、整流子片の数ｍに等しい。ｍ個の回転子歯は、回転子巻線のコイル要素を収容するか又はこれに対応するｍ個の巻線溝を規定する。
【００３８】
図３を参照すると、回転子コア上の回転子歯は、総計で整流子片の数に等しい。幾つかの実施形態において、整流子片及びその対応する回転子歯は、所定の角度だけ円周方向に互いにオフセットすることができる。例えば、Ｌ１は、整流子片Ｚ１の中心線に相当し、Ｌ２は、整流子片Ｚ１に対応する回転子歯の中心線に相当する。Ｌ１及びＬ２は、所定の角度αだけ円周方向に互いにオフセットしている。角度αは、整流子片Ｚ１の中心線Ｌ１及び回転子の中心で定められる第１の平面と、対応する回転子歯の中心線Ｌ２及び回転子の中心で定められる第２の平面との間の角度として定められる。好ましい実施形態において、角度αは、０度より大きく１２度より小さくなるように構成され、オフセットは、円周方向に時計回り方向又は反時計回り方向のいずれかである。別の好ましい実施形態において、角度αは、０度から９度となるように構成される。
【００３９】
図５は、前述の実施形態による波巻を使用した４極２０溝の永久磁石電動機に関するＥＭＩテストの結果を示す。図６は、従来の４極２０溝の永久磁石電動機に関するＥＭＩテストの結果を示す。図５及び図６のグラフにおいて、ｘ軸は、メガヘルツ（ＭＨｚ）で測定されるＥＭＩ周波数に対応し、ｙ軸は、対数尺度での距離に対するＥＭＩ電界強度（ｄＢμＶ／ｍ）を測定単位にしている。一般的に、電動機のＥＭＩを低減することが望ましい。例えば、連邦通信委員会（ＦＣＣ）の規制によれば、３０から８８ＭＨｚの周波数範囲での３メートルの距離におけるＥＭＩ電界強度は、４０ｄＢμＶ／ｍを下回る必要がある。図面に示すように、４極２０溝の永久磁石電動機は、従来の電動機と比較して良好なＥＭＩ特性（ＥＭＩ電界強度の低下）が認められる。
【００４０】
表２は、別の実施形態による４極２０溝の永久磁石ＤＣ電動機の巻線配列を示す。
【表２】
2014121270.tif 000004
【００４１】
表２に示す実施形態の巻線配列は、図３から５及び表１に示す実施形態とは幾つかの点で異なるものである。例えば、表１に示す実施形態において、コイル要素Ｗ１は、整流子片Ｚ１を起点とし、１０個の整流子片の距離を経てＺ１１に至り、次に、整流子片Ｚ１１を起点とし、１１個の整流子片の距離を経て整流子片Ｚ２に至るコイル要素Ｗ１１が続く。それに対し、表２に示す実施形態において、コイル要素Ｗ１は、１０個の整流子片をまたがってＺ１からＺ１１に至り、コイル要素Ｗ１１は、９個のみの整流子片をまたがってＺ１１からＺ１９に至る。前述のように、１０、１１、又は９個の整流子片の距離は全て、２個の磁極に対応する整流子片の数に実質的に等しいとみなすことができる。
【００４２】
このようにして、本発明による電動機は、整流子片及び回転子歯を偶数に保つと同時に、必要とされる電気ブラシが、４個ではなく２個のみである。これにより、従来の４個のブラシの電動機と同じ回転子コア及び整流子を使用して、実施形態による電動機を製造することが可能となり、開発における追加の投資及び追加の組立ラインを必要とせず、製造コスト及び複雑性を低減することができる。
【００４３】
本発明の実施形態の応用例は、家庭用又は産業分野において使用することができる。例えば、幾つかの実施形態による電動機は、自動車エンジンの冷却モジュールにおいて使用することができる。図７に示すように、自動車エンジンの冷却モジュールは、ファン４０及び永久磁石電動機５０を備えることができ、自動車エンジンを冷却するためにファン４０は電動機５０によって駆動される。
【００４４】
前述の明細書において、様々な態様を、それらの具体的な実施形態を参照して説明した。しかしながら、本明細書において説明する様々な実施形態の広い思想及び範囲から逸脱することなく、様々な変更及び修正を加えることができることは明らかである。例えば、前述のシステム又はモジュールは、部品の特定の構成に関して説明したものである。それにもかかわらず、説明した部品の多くの順序又はそれらの間の空間的関係は、本明細書において説明する様々な実施形態の範囲、作用、又は効果に影響を及ぼすことなく変更することができる。さらに、特定の特徴を示して説明したが、それらの特徴は、特許請求の範囲又は他の実施形態の範囲を限定することを意図しているものではないことが理解されるであろうし、本明細書において説明した様々な実施形態の範囲から逸脱することなく様々な変更及び修正を加えることができることは当業者には明らかである。従って、本明細書及び図面は、限定的な意味ではなく、例示的又は説明的なものとみなされるべきである。従って、説明した実施形態は、変形例、変更例、及び均等形態を包含することを意図している。
【符号の説明】
【００４５】
２１  電気ブラシ
１００  固定子
１０４  回転子
１０６  回転子歯
１１０  整流子片
【図１Ａ】
2014121270.tif 000005
【図１Ｂ】
2014121270.tif 000006
【図１Ｃ】
2014121270.tif 000007
【図２Ａ】
2014121270.tif 000008
【図２Ｂ】
2014121270.tif 000009
【図３】
2014121270.tif 000010
【図４】
2014121270.tif 000011
【図５】
2014121270.tif 000012
【図６】
2014121270.tif 000013
【図７】
2014121270.tif 000014
【外国語明細書】
2014121270000001.pdf